(57)【要約】【課題】座席部を取り外して一般の椅子に置いて座席の高さを上げることが可能な子供用椅子を提供する。【解決手段】子供用椅子は、座席と、座席がフレームに脱着自由に設けられ、前脚上部と前脚下部を備えて前脚上部が前脚下部の上端に設けられる前脚と、前脚上部と前脚下部のいずれかに枢動自由に連結される後脚とを含むフレームと、座席に相対してロック位置または解除位置に選択的に移動自由に座席の一側に設けられる係合部と、前脚に設けられ、係合部とともに座席を固定する結合部とを含む係合機構とを含む。【選択図】図１
2010000356.tif 000002
【特許請求の範囲】
【請求項１】
子供用椅子であって、
座席と、
前記座席がフレームに脱着自由に設けられ、前脚上部と前脚下部を備えて前脚上部が前脚下部の上端に設けられる前脚と、前記前脚上部と前記前脚下部のいずれかに枢動自由に連結される後脚とを含むフレームと、
前記座席に相対してロック位置または解除位置に選択的に移動自由に前記座席の一側に設けられる係合部と、前記前脚に設けられ、前記係合部とともに前記座席を固定する結合部とを含む係合機構とを含むことを特徴とする、子供用椅子。
【請求項２】
前記フレームは更に、前記前脚と前記後脚を連結する枢結部材を含むことを特徴とする、請求項１に記載の子供用椅子。
【請求項３】
前記前脚上部は前記前脚下部の上端に伸縮自由に設けられることを特徴とする、請求項１に記載の子供用椅子。
【請求項４】
前記後脚は前記前脚の中間部に連結されることを特徴とする、請求項１に記載の子供用椅子。
【請求項５】
前記前脚と前記後脚のうち少なくとも１つの下にキャスターが設けられる、請求項１に記載の子供用椅子。
【請求項６】
前記係合部は第一突起を備え、前記係合機構は更に、前記座席に移動自由に設けられながら前記係合部に連結され、前記係合部を駆動してロック位置から解除位置に移動させる駆動部を含み、
前記結合部は凹部と第一ガイドトラックを含み、凹部は第一ガイドトラックに連接され、前記第一突起が凹部と第一ガイドトラックの中で移動することにより、係合部はロック位置または解除位置に移動することを特徴とする、請求項１に記載の子供用椅子。
【請求項７】
前記駆動部は第二突起を備え、前記係合部は第二ガイドトラックを備え、第二突起は第二ガイドトラックの中まで延びており、第二ガイドトラックは第一当止位置と第二当止位置を有し、
前記係合部がロック位置にあるとき、前記第二突起は前記第一当止位置にあり、
前記駆動部が前記座席に相対して解除方向に移動することにより、前記第二突起が前記第二ガイドトラック内で前記第二当止位置に移動するとき、前記第二突起は前記係合部を駆動し、前記第一突起を前記凹部から前記第一ガイドトラックに移動させることを特徴とする、請求項６に記載の子供用椅子。
【請求項８】
前記第二ガイドトラックは斜設されたガイドトラックであり、前記第二当止位置は前記第一当止位置より前記第一突起に近いことを特徴とする、請求項７に記載の子供用椅子。
【請求項９】
前記凹部と前記第一ガイドトラックはＬ字型グルーブを形成していることを特徴とする、請求項６に記載の子供用椅子。
【請求項１０】
前記駆動部はボタンであることを特徴とする、請求項６に記載の子供用椅子。
【請求項１１】
前記係合機構は更に、前記係合部と前記座席の間に連結され、バイアス回復力を生成して前記係合部を駆動して解除位置からロック位置に移動させる第一弾性部材を含むことを特徴とする、請求項６に記載の子供用椅子。
【請求項１２】
前記係合機構は更に筐体を含み、前記第一弾性部材は前記係合部と筐体にバイアスされ、筐体は係合部を被覆して前記座席に固定されることを特徴とする、請求項１１に記載の子供用椅子。
【請求項１３】
前記座席において前記結合部に対応する位置にガイドグルーブが設けられ、前記結合部はガイドリブを備え、ガイドリブはガイドグルーブと合わせて前記座席を特定の方向にそって前記フレームから離脱させることを特徴とする、請求項１に記載の子供用椅子。
【請求項１４】
前記結合部は、前記フレームに設けられるサポートチューブを備え、前記係合部は前記座席に回転自由に枢結され、選択的にサポートチューブと係合するかそこから分離することを特徴とする、請求項１に記載の子供用椅子。
【請求項１５】
前記係合機構は更に、前記座席に移動自由に設けられながら前記係合部に枢結され、前記係合部を駆動して前記座席に相対して回転させ、前記サポートチューブから分離させることを特徴とする、請求項１４に記載の子供用椅子。
【請求項１６】
前記座席はスロットを備え、前記駆動部はスロットを通過し、スロットは第一当止位置と第二当止位置を有し、
前記係合部がロック位置にあるとき、前記駆動部は前記第一当止位置にあり、前記係合部は前記サポートチューブと係合し、
前記駆動部が前記座席に相対して前記スロットの中で前記第二当止位置に移動するとき、前記駆動部は前記係合部を駆動して回転させ、前記係合部を解除位置にして前記サポートチューブと分離させることを特徴とする、請求項１５に記載の子供用椅子。
【請求項１７】
前記駆動部はボタンと連結部材を含み、連結部材は前記係合部に枢結され、前記ボタンは前記座席に移動可能に穿設され連結部材に固定されることを特徴とする、請求項１６に記載の子供用椅子。
【請求項１８】
前記係合部はフックを備え、前記係合部はフックで前記サポートチューブと係合することを特徴とする、請求項１４に記載の子供用椅子。
【請求項１９】
前記フックの底部は前記座席の底面に相対する斜面を有することを特徴とする、請求項１８に記載の子供用椅子。
【請求項２０】
前記駆動部はボタンを含み、ボタンはピンで前記係合部に枢結され、ボタンは前記座席に移動可能に穿設されることを特徴とする、請求項１５に記載の子供用椅子。
【請求項２１】
前記係合機構は更に、前記座席と前記駆動部の間に連結され、バイアス回復力を生成して前記係合部を駆動して解除位置からロック位置に移動させる第一弾性部材を含むことを特徴とする、請求項１５に記載の子供用椅子。
【請求項２２】
前記子供用椅子は更に台座を含み、台座は前記座席の底部に摺動自由に設けられ、台座は前記座席に相対して固定位置と突出位置を有し、
前記座席が前記フレームに固定されたとき、前記台座は前記固定位置にあり、
前記座席が前記フレームから離脱するとき、前記台座は前記突出位置にあることを特徴とする、請求項１４に記載の子供用椅子。
【請求項２３】
前記台座はガイドグルーブを備え、前記座席はガイドグルーブに相対する位置にガイドリブを備え、ガイドリブはガイドグルーブ内に摺動することを特徴とする、請求項２２に記載の子供用椅子。
【請求項２４】
前記子供用椅子は更に第二弾性部材を含み、第二弾性部材は前記台座と前記座席にバイアスされ、前記係合部が前記サポートチューブから分離するとき、第二弾性部材のバイアス回復力により、前記台座は前記突出位置まで前記座席から突き出ることを特徴とする、請求項２３に記載の子供用椅子。
【請求項２５】
前記係合部は当止ブロックを備え、前記台座は載せ台を備え、前記係合部が前記サポートチューブから分離するとき、当止ブロックは載せ台と当接し、前記台座を前記座席から突き出る位置に保持することを特徴とする、請求項２３に記載の子供用椅子。
【請求項２６】
前記係合機構は２つの係合部と２つの結合部を備え、２つの係合部は左右対称で前記座席の両側に設けられ、２つの結合部は左右対称で前記前脚に設けられることを特徴とする、請求項１に記載の子供用椅子。
【請求項２７】
前記座席と前記フレームの前記前脚上部のいずれかはガイドトラックを備え、前記座席と前記フレームの前記前脚上部のもうひとつはガイドグルーブを備え、前記座席が前記フレームから離脱するとき、ガイドトラックはガイドグルーブの中で移動することを特徴とする、請求項１に記載の子供用椅子。
【請求項２８】
子供用椅子であって、
座席と、
フレームと、
フックを備え、前記座席の一側に回転自由に設けられ、前記座席に相対してロック位置または解除位置に選択的に回転する係合部と、フックと結合部の結合により前記座席を前記フレームに離脱可能に設ける結合部とを含む係合機構とを含むことを特徴とする、子供用椅子。
【請求項２９】
前記結合部は、前記フレームに設けられるサポートチューブを備え、前記係合部は前記フックで前記結合部に係合されることを特徴とする、請求項２８に記載の子供用椅子。
【請求項３０】
前記フックの底部は前記座席の底面に相対する斜面を有することを特徴とする、請求項２９に記載の子供用椅子。
【発明の詳細な説明】
【技術分野】
【０００１】
本発明は子供用椅子に関し、特に固定フレームと合わせて使用する係合機構が座席部に設けられ、座席部を取り外して一般の椅子に置いて座席の高さを上げることが可能な子供用椅子に関する。
【背景技術】
【０００２】
現在、乳幼児用に供する子供用椅子は相当に普及している。子供用椅子により、食事時に乳幼児を同席させ、大人がその面倒を見るのが容易になった。しかし、周知の子供用椅子はさまざまあるが、いずれも座席部を特定のフレームにしか装着できないもので、不便である。
【先行技術文献】
【特許文献】
【０００３】
【特許文献１】米国特許第５，９５１，１０２号明細書
【特許文献２】米国特許第６，１２０，０４１号明細書
【特許文献３】米国特許第６，７１９，３７１号明細書
【発明の概要】
【課題を解決するための手段】
【０００４】
本発明では子供用椅子を開示する。子供用椅子は座席とフレームを含む。座席はフレームに脱着自由に設けられ、フレームは座席と係合する結合部を含む。子供用椅子は、座席に相対して移動自由に座席の一側に設けられる係合部を含み、係合部は結合部と合わせてロック位置または解除位置に選択的に移動する。
【０００５】
本発明による子供用椅子では、フレームは前脚と後脚を含む。前脚は前脚上部と前脚下部を備え、前脚上部は前脚下部の上端に設けられている。後脚は、前脚上部と前脚下部のいずれかに枢動自由に連結されている。
【０００６】
本発明による子供用椅子は係合機構を含む。実施例１による係合機構は係合部と、結合部と、駆動部を含む。係合部は第一突起を備え、駆動部は座席に移動自由に設けられながら係合部に連結され、係合部を駆動してロック位置から解除位置に移動させる。結合部は凹部と第一ガイドトラックを含み、凹部は第一ガイドトラックに連接されている。第一突起が凹部と第一ガイドトラックの中で移動することにより、係合部はロック位置または解除位置に移動する。
【０００７】
本発明の実施例２と実施例３による係合機構では、結合部は、フレームに設けられるサポートチューブを備える。係合部は座席に回転自由に枢結され、選択的にサポートチューブと係合するかそこから分離する。駆動部は座席に移動自由に設けられながら係合部に枢結され、係合部を駆動して前記座席に相対して回転させ、サポートチューブから分離させる。
【０００８】
本発明の実施例４による係合機構は更に、座席の底部に設けられる台座を含み、台座はガイドグルーブを備える。座席のガイドグルーブに相対する位置にはガイドリブが設けられ、ガイドリブは移動自由にガイドグルーブと係合されている。係合部をサポートチューブから分離するとき、ガイドグルーブはガイドリブに沿って移動し、それにより台座は座席から突き出る。
【０００９】
本発明による子供用椅子の座席係合機構により、座席はフレームと係合するかフレームから取り外すことができる。フレームから取り外した座席は大人用の椅子に置き、食卓のサイズや保護者の要望に合わせて利用することができる。
【図面の簡単な説明】
【００１０】
【図１】本発明による子供用椅子を表す説明図である。
【図２】実施例１による係合機構の分解図である。
【図３】座席の一側から見られる係合機構の外側面図である。
【図４】実施例１による係合機構の結合部を表す説明図である。
【図５】係合機構の係合部がロック位置にある状態を表す説明図である。
【図６】係合機構の係合部が解除位置にある状態を表す説明図である。
【図７】子供用椅子の側面図である。
【図８】実施例２による係合機構の一部分解図である。
【図９】係合機構がロック位置にある状態を表す説明図である。
【図１０】係合部がロック位置にあるときサポートチューブとの係合を表す説明図である。
【図１１】係合機構が解除位置にある状態を表す説明図である。
【図１２】実施例３による係合機構の分解図である。
【図１３】係合機構がロック位置にある状態を表す説明図である。
【図１４】係合機構が解除位置にある状態を表す説明図である。
【図１５】係合機構がロック位置にある状態の側面図である。
【図１６】係合機構が解除位置にある状態の側面図である。
【図１７】実施例４による係合機構がロック位置にあるとき台座の相対位置を表す説明図である。
【図１８】係合機構が解除位置にあるとき台座が突出位置にある状態を表す説明図である。
【図１９】台座が突出位置にあるとき、係合機構が台座に当接する状態を表す説明図である。
【図２０】本発明の実施例３による子供用椅子を表す説明図である。
【発明を実施するための形態】
【００１１】
図１を参照する。図１は本発明による子供用椅子１００を表す説明図である。子供用椅子１００はフレーム１と、座席部２と、トレイ３を含む。座席部２は座席２１と、係合機構２２と、背もたれ２６を含む。係合機構２２は座席２１の左右両側に設けられ、それにより座席２１はフレーム１に着脱自由に装着することができる。また、係合機構２２を利用すれば、座席２１はフレーム１から容易に外せる。トレイ３は座席部２の前に設けられ、フレーム１は前脚１１と、後脚１２と、枢結部材１４を含む。枢結部材１４は前脚１１と後脚１２に連結され、前脚１１と後脚１２は両側の枢結部材１４により枢結されている。枢結部材１４は前脚１１の中間部に設けられ、後脚１２はそれにより前脚１１の中間部に連結されている。前脚１１は前脚上部１１１と前脚下部１１２を含む。前脚上部１１１は前脚下部１１２の上端に設けられている。前脚上部１１１を前脚下部１１２に相対して伸縮すれば、座席部２の高さは調整できる。本実施例では、枢結部材１４は前脚下部１１２の上端に設けられ、後脚１２はそれにより前脚下部１１２に枢動自由に連結されている。また他実施例として、後脚１２を前脚上部１１１と連結して前脚１１に枢結することも可能である。なお、子供用椅子１００の移動を容易にするために、前脚１１と後脚１２の全部かどちらかの下端にキャスター１５を設けるのも可能である。
【００１２】
図２を参照する。図２は実施例１による係合機構２２の分解図である。係合機構２２は結合部１３と、駆動部２２１と、係合部２２と、第一弾性部材２２３と、筐体２２４とを含む。本実施例では、駆動部２２１はボタンであり、第一弾性部材２２３はバネである。結合部１３は前脚１１１の上端に設けられ、係合部２２２は結合部１３に係合され、座席２１はそれによってフレーム１に固定される。望ましくは、本実施例による２つの係合部２２２は左右対称で座席２１の両側に設けられ、２つの結合部１３も左右対称で前脚１１１の上端に設けられている。駆動部２２１は座席２１の外側から内側へ座席２１を通過し、係合部２２２は座席２１の内側から外側へ座席２１を通過するように移動自由に設置されている。第一弾性部材２２３の両端はそれぞれ筐体２２４と係合部２２２の当止部２２２１に当接されており、筐体２２４は係合部２２２と第一弾性部材２２３を被覆して座席２１に固定される。係合部２２２は結合部１３、駆動部２２１、及び第一弾性部材２２３と合わせて座席２２１をロック状態または解除状態にする。駆動部２２１は係合部２２に連結されるように座席２１に移動自由に設けられている。駆動部２２１の駆動により係合部２２２は座席２１に相対してロック位置から解除位置に移動し、第一弾性部材２２３の駆動により係合部２２２は座席２１に相対して解除位置からロック位置に移動することができるので、座席２１をフレーム１に装着するかフレーム１から取り外すことができる。
【００１３】
図２と合わせて図３、図４、図５、及び図６を参照する。図３は座席２１の一側から見られる係合機構２２２の外側面図であり、図４は実施例１による係合機構２２の結合部１３を表す説明図であり、図５は係合機構２２の係合部２２２がロック位置にある状態を表す説明図であり、図６は係合機構２２の係合部２２２が解除位置にある状態を表す説明図である。図４に示すように、実施例１による結合部１３は凹部１３６と第一ガイドトラック１３７を含み、凹部１３６は第一ガイドトラック１３７と連接されるように第二方向Ｎ２に沿って第一ガイドトラック１３７の隣に形成されている。凹部１３６と第一ガイドトラック１３７はそれぞれ第二方向Ｎ２と第三方向Ｎ３に沿って伸び、Ｌ字型のグルーブを形成している。図２と図５に示すように、係合部２２２は２つの第一突起２２２６と第二ガイドトラック２２２５を含む。第一突起２２２６は座席２１の内側から外側へ座席２１を通過し、凹部１３６と第一ガイドトラック１３７からなるＬ字型グルーブの中で移動することで、凹部１３６と係合するか（このとき係合部２２２はロック位置にある）、または第一ガイドトラック１３７に移動して凹部１３６から離脱する（このとき係合部２２２は解除位置にある）。図５と図６に示す第二ガイドトラック２２２５は斜設されたガイドトラックであり、第一方向Ｎ１に沿って第一当止位置Ａと第二当止位置Ｂを有する。本実施例では、第二当止位置Ｂは第一当止位置Ａより係合部２２２の第一突起２２２６に近い。駆動部２２１は第二突起２２１４を備え、第二突起２２１４は座席２１の外側から内側へ座席２１を通過し、第二ガイドトラック２２２５まで伸びて、その中で移動する。図５に示す座席２１はロック状態にあり（図３、図４を合わせて参照する）、第一突起２２２６は凹部１３６内にあり、第二突起２２１４は第一当止位置Ａにあり、係合部２２２はロック位置にある。このとき、座席２１はフレーム１と係合している。座席２１をフレーム１から取り外すとき、図６に示すように、第一方向Ｎ１（解除方向）に沿って駆動部２２１を回し第二ガイドトラックの中で第二突起２２１４を第一当止位置Ａから第二当止位置Ｂに移動すれば、第二突起２２１４は係合部２２２を駆動して図５に示すロック位置から図６に示す解除位置に移動し、それと同時に第一弾性部材２２３は筐体２２４と係合部２２の間で圧縮され、それによりバイアス回復力が発生する。図４を参照する。係合部２２２にかける駆動部２２１の駆動により、係合部２２２の第一突起２２２６は凹部１３６のロック位置から第二方向Ｎ２に沿って第一ガイドトラック１３７の解除位置に移動すれば、座席２１は第一ガイドトラック１３７を沿ってフレーム１から離脱する。
【００１４】
係合部２２２が解除位置にあるとき、駆動部２２１を緩めば、第一弾性部材２２３のバイアス回復力により、係合部２２２は解除位置からロック位置に移動する。したがって、座席２１を係合グルーブ２２５を通してフレーム１上のサポートチューブ６に再び装着するとき、係合部２２２の第一突起２２２６が第一ガイドトラック１３７に沿って凹部１３６の隣に移動すると、第一弾性部材２２３は係合部２２２を駆動して凹部１３６と係合するように第一突起２２２６を凹部１３６に動かし、これで座席２１をフレーム１に固定する。
【００１５】
図３と図４を参照する。結合部１３はガイドリブ１３５を備え、座席２１はガイドリブ１３５に相対する位置にガイドグルーブ２１４を備える。座席２１をフレーム１から取り外すとき、ガイドリブ１３５とガイドグルーブ２１４は相互作用して座席２１を特定の方向に沿ってフレーム１から離脱させる。注意すべきは、本実施例の図に示す第二ガイドトラック２２２５は斜設されたガイドトラックであるが、本発明による第二ガイドトラック２２２５の形状は限定されておらず、係合部２２２を駆動して第二方向Ｎ２に沿って動かしロック位置から解除位置に移動させ、それにより第一突起２２２６が凹部１３６から離脱するようなものであれば、いずれも本発明の範囲に属する。
【００１６】
図７と図８を参照する。図７は子供用椅子２００の側面図であり、図８は実施例２による係合機構２３の一部分解図である。子供用椅子２００はフレーム１と座席部２を含み、座席部２は座席２１と係合機構２３を含む。前掲実施例との相違点は係合機構２３の実施方式にある。係合機構２３の係合部は座席２１の左右両側に設けられ、結合部は座席２１の下方にあるフレーム１に設けられ、サポートチューブ６を備える（図９に示す）。
【００１７】
係合機構２３は駆動部２３１と、係合部２３２と、サポートチューブ６と、第一弾性部材２３３とを含む。第一弾性部材２３３は例えばバネであり、係合部２３２は座席２１に枢結され、座席２１に相対して回転することでサポートチューブ６と係合するかそれから分離する。本実施例による駆動部２３１はボタン２３１１と連結部材２３１３を含む。ボタン２３１１は座席２１の外側から内側へ座席２１を通過するように座席２１に移動自由に設置され、連結部材２３１３で固定される。連結部材２３１３は係合部２３２に枢結されており、第一弾性部材２３３の両端は座席２１の突起２１６と駆動部２３１の連結部材２３１３にそれぞれ連結されている。係合機構２３はサポートチューブ６と合わせて座席２１をロック状態または解除状態にする。係合部２３２は駆動部２３１と第一弾性部材２３３と合わせて動作する。つまり、駆動部２３１は係合部２３２を駆動して座席２１に相対して回転させ、サポートチューブ６から選択的に分離させる。言い換えれば、駆動部２３１の駆動により係合部２３２はロック位置から解除位置に回転し、第一弾性部材２３３の駆動により係合部２３２は解除位置からロック位置に移動することができるので、座席２１をフレーム１に装着するかフレーム１から取り外すことができる。
【００１８】
図８と合わせて図９、図１０、及び図１１を参照する。図９は係合機構２３がロック位置にある状態を表す説明図であり、図１０は係合部２３２がロック位置にあるときサポートチューブ６との係合を表す説明図であり、図１１は係合機構２３が解除位置にある状態を表す説明図である。図８と図９に示すように、座席２１は２つのスロット２１５と突起２１６を備え、ボタン２３１１は２本のネジ軸２３１２を備え、係合部２３２はフック２３２３と、第一孔２３２１と、第二孔２３２２を備え、連結部材２３１３は十字リブ２３１４と、２つの第一孔２３１５と、第二孔２３１６を備える。第一弾性部材２３３の両端はそれぞれ突起２１６と十字リブ２３１４に固定されており、ネジ軸２３１２は移動自由にスロット２１５を通過して連結部材２３１３の第一孔２３１５に固定され、連結部材２３１３の第二孔２３１６は係合部２３２の第一孔２３２１（図８に示す）に枢結されている。第二孔２３２２は枢結軸２１７により座席２１に枢結されており、係合部２３２は枢結軸２１７を中心として回転する。
【００１９】
図９と図１０に示すように、スロット２１５は第四方向Ｎ４に沿って第一当止位置Ｃと第二当止位置Ｄを有する。係合部２３２が図９に示すロック位置にあるとき、係合部２３２のフック２３２３はサポートチューブ６を掛止して座席２１とフレーム１を係合する。このときボタン２３１１は第一当止位置Ｃにある。図１１に示すように、座席２１をフレーム１から取り外すとき、ボタン２３１１を第四方向Ｎ４に沿って上に回し、スロット２１５内に第四方向Ｎ４に沿って第一当止位置Ｃから第二当止位置Ｄに動かせば、ボタン２３１１は連結部材２３１３を駆動して第四方向Ｎ４に沿って上に動かすとともに、係合部２３２を駆動して軸を回転中心として回転させる。図１１に示すように、このとき第一弾性部材２３３は圧縮され、係合部２３２は回転して解除位置に入り、フック２３２３はサポートチューブ６から離れているので、座席２１をフレーム１から取り外すことができる。
【００２０】
次にボタン２３１１を緩めば、圧縮された第一弾性部材２３３は、連結部材２３１３と係合部２３２を駆動して図９に示す位置に戻す（このとき座席２１はフレーム１から外されている）。座席２１をフレーム１に再び装着するとき、第四方向Ｎ４に沿ってボタン２３１１を上に回し、連結部材２３１３の駆動により係合部２３２を解除位置に戻す。なお、フック２３２３の底部は座席２１の底面に相対する斜面２３２４を有し、言い換えれば力が加えられる垂直方向に対して斜面を呈するので、座席２１をフレーム１に再び装着するときは、座席２１を下に押してサポートチューブ６をフック２３２３の斜面２３２４に当接し、加えられた力の分力で係合部２３２を回転させる。そうすれば、ボタン２３１１を押す段階を省いて、座席２１をフレーム１に直接装着することができる。
【００２１】
座席２１をフレーム１に置いた後、駆動部２３１を緩めば、第一弾性部材２３３のバイアス回復力により係合部２３２は解除位置からロック位置に回転する。このときフック２３２３とサポートチューブ６は係合して座席２１をフレーム１に固定する。
【００２２】
図１２を参照する。図１２は実施例３による係合機構２４の分解図である。図１２に示すように、座席２１はカバー２１８を備える。係合機構２４はカバー２１８に設けられ、駆動部２４１と、係合部２４２と、サポートチューブ６と、第一弾性部材２４３とを含む（本実施例では駆動部２４１はボタンであり、第一弾性部材２４３はバネである）。駆動部２４１は座席２１の外側から内側へ座席２１を通過するように座席２１に移動自由に設置されており、係合部２４２はカバー２１８と駆動部２４１に枢結され、回転方式でサポートチューブ６と係合するかそれから分離する。第一弾性部材２４３の両端はカバー２１８と駆動部２４１にそれぞれ連結されている。駆動部２４１の駆動と第一弾性部材２４３の回復力により、係合部２４２はロック位置と解除位置の間で移動するので、座席２１をフレーム１に装着するかフレーム１から取り外すことができる。
【００２３】
図１３、図１４、図１５、及び図１６を参照する。図１３は係合機構２４がロック位置にある状態を表す説明図であり、図１４は係合機構２４が解除位置にある状態を表す説明図であり、図１５は係合機構２４がロック位置にある状態の側面図であり、図１６は係合機構２４が解除位置にある状態の側面図である。図１５と合わせて図１２、図１３を参照する。係合部２４２はフック２４２３と、第一孔２４２１と、第二孔２４２２を備える。係合部２４２は、第一孔２４２１と係合グルーブ２４１１を連結するピン２４５で駆動部２４１に枢結されている。第二孔２４２２は枢結軸２１７’により座席２１に枢結されており、係合部２４２は枢結軸２１７’を中心として回転する。図１３と図１５に示すように、係合部２４２がロック位置にあるとき、そのフック２４２３はサポートチューブ６を掛止して座席２１とフレーム１を係合する。
【００２４】
図１４と図１６に示すように、駆動部２４１を第五方向Ｎ５（解除方向）に沿って上に回せば、係合部２４２は駆動部２４１の駆動により枢結軸２１７’に相対して回転する。フック２４２３はサポートチューブ６から離れ、係合部２４２は解除位置にあるので、座席２１をフレーム１から取り外すことができる。次に駆動部２４１を緩めば、圧縮された第一弾性部材２４３は係合部２４２を駆動して図１３に示す位置に戻す（このとき座席２１はフレーム１から外されている）。座席２１をフレーム１に再び装着するとき、第五方向Ｎ５に沿って駆動部２４１を上に回し、係合部２４２を解除位置に戻す。座席２１をフレーム１に置いた後、駆動部２４１を緩めば、第一弾性部材２４３のバイアス回復力により、係合部２４２は解除位置からロック位置に回転する。このときフック２３２３とサポートチューブ６は係合して座席２１をフレーム１に固定する。
【００２５】
図１７と図１８を参照する。図１７は実施例４による係合機構２５がロック位置にあるとき台座２７の相対位置を表す説明図であり、図１８は係合機構２５が解除位置にあるとき台座２７が突出位置にある状態を表す説明図である。係合機構２５は駆動部２５１と、係合部２５２と、サポートチューブ６と、第一弾性部材２５３とを含む。駆動部２５１はボタン２５１１と連結部材２５１２を含む。係合機構２５の各部の作用と動作は実施例２の係合機構２３と同じで、ここで説明を省略する。
【００２６】
本実施例では、子供用椅子２００は台座２７を含み、台座２７は載せ台２７１と２本のガイドグルーブ２７３を備える。座席２１は２つのガイドリブ２１９を備え、係合部２５２は当止ブロック２５２５を備える。係合機構２５は更に第二弾性部材２５５（例えばバネ）を備え、第二弾性部材２５５の両端はそれぞれ台座２７上の凹部２７７内とガイドリブの端部の間に連結されている。台座２７のガイドグルーブ２７３は第六方向Ｎ６に沿って座席２１のガイドリブ２１９の上で移動し、台座２７を第六方向Ｎ６に沿って座席２１から突き出すか座席２１の中へ引っ込める。係合部２５２がロック位置にあるとき、台座２７は座席２１の中へ引っ込んでおり、第二弾性部材２５５は圧縮状態にある。係合部２５２が解除位置にあるとき、フック２５２３はサポートチューブ６から離れ、当止ブロック２５２５は載せ台２７１から離れ、第二弾性部材２５５のバイアス回復力により、台座２７のガイドグルーブ２７３はガイドリブ２１９の上で第六方向Ｎ６に沿って移動し、台座２７を座席２１の外へ突き出す。
【００２７】
フック２５２３を解除した後、図１９に示すように、当止ブロック２５２５は載せ台２７１と当接し、台座２７を座席２１から突き出る突出位置に保持する。これは、座席部２を大人用の椅子に置いて高さを上げるときに利用される。台座２７が座席２１に相対して突出位置まで突き出ると、座席２１上の係合グルーブ２２５（図１７に示す）は台座２７により遮られるので、座席２１はサポートチューブ６と係合できない。これは、台座２７が突出位置まで突き出た状態で、誤って座席２１をフレーム１に装着することにより生じる危険を回避するためである。図１９に示す状態では、当止ブロック２５２５が載せ台２７１により支えられているので、幼児が座席２１に座っても台座２７は座席２１の中に押し戻されることがない。座席２１をサポートチューブ６に係合しようとすれば、ボタン２４１を押して係合部２５２を駆動し、当止ブロック２５２５を載せ台２７１から分離する。このとき台座２７のガイドグルーブ２７３は第六方向Ｎ６に沿ってガイドリブ２１９の上で移動し、台座２７は座席２１の中に押し戻される。そうなると、フック２５２３はサポートチューブ６と再び係合して座席２１を固定する。
【００２８】
また、前掲各実施例ではサポートチューブ６としてフレームの横方向のサポートロッドを利用することができる。したがって、係合機構が係合部、駆動部、及び弾性部材のみ含み、係合部をフレームのサポートロッドに係合するのも、座席をフレームに固定することができる。
【００２９】
図２０を参照する。他実施例による子供用椅子３００では、座席２１の両側にはそれぞれ突出したガイドトラック２１１が設けられ、それに対応してフレーム１の前脚上部１１１の両側にはそれぞれガイドグルーブ１１０が設けられている。したがって、座席２１をフレーム１に装着するときは、座席２１の両側のガイドトラック２１１をガイドグルーブ１１０に合わせてガイドトラック１１０の中で動かし、前記座席係合機構で座席２１をフレーム１に係合すれば、座席２１を一定の方向に沿ってフレーム１に取り付けることができる、。
【００３０】
本発明では座席係合機構を備える子供用椅子を開示する。子供用椅子は座席と、フレームと、座席係合機構を備える。座席係合機構は座席とフレームの両側に設けられ、それによりユーザーは座席を取り外して大人用の椅子に置くか他の方法で利用することができる。座席係合機構はその係合部と結合部の作用により係合される。係合部が結合部の中にあるとき（または結合部と係合時）、係合部はロック位置にある。駆動部の駆動により係合部が結合部から離れるとき、係合部はロック位置から解除位置に移動するので、座席をフレームから外すことができる。
【００３１】
また、座席係合機構は座席底部の台座を備え、より多くの機能を発揮できる。係合部がロック位置にあるとき、台座は座席の中に引っ込み、係合部が解除位置にあるとき、台座は座席から突き出ているので、座席を大人用の椅子に置いて高さを上げることができる。注意すべきは、本発明による第一方向、第四方向、第五方向、及び第六方向はいずれも駆動部（またはボタン）で係合部をロック位置から解除位置へ駆動する方向であって、前掲実施例に示すような上の方向に限らず、係合部を解除位置へ駆動できる方向であれば、いずれも本発明の範囲に属する。
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００３２】
１        フレーム
２        座席部
３        トレイ
６        サポートチューブ
１１      前脚
１２      後脚
１３      結合部
１４      枢結部材
２１      座席
２２、２３、２４、２５      係合機構
２６        背もたれ
２７        台座
１００、２００、３００      子供用椅子
１１０、２１４        ガイドグルーブ
１１１        前脚上部
１１２        前脚下部
１３５、２１９        ガイドリブ
１３６        凹部
１３７        第一ガイドトラック
２１１        ガイドトラック
２１５        スロット
２１６        突起
２１７        枢結軸
２１８        カバー
２２１、２３１、２４１、２５１    駆動部
２２２、２３２、２４２、２５２    係合部
２２３、２３３、２４３、２５３    第一弾性部材
２２４        筐体
２２５、２４１１        係合グルーブ
２４５        ピン
２５５        第二弾性部材
２７１        載せ台
２７３        ガイドグルーブ
２７５        溝
２２１４      第二突起
２２２１      当止部
２２２５      第二ガイド後ラック
２２２６      第一突起
２３１１、２５１１      ボタン
２３１２      ネジ軸
２３１３、２５１２      連結部材
２３１４      十字リブ
２３１５、２３２１、２４２１      第一孔
２３１６、２３２２、２４２２      第二孔
２３２３、２４２３、２５２３      フック
２３２４      斜面
２５２５      当止ブロック
【図１】
2010000356.tif 000003
【図２】
2010000356.tif 000004
【図３】
2010000356.tif 000005
【図４】
2010000356.tif 000006
【図５】
2010000356.tif 000007
【図６】
2010000356.tif 000008
【図７】
2010000356.tif 000009
【図８】
2010000356.tif 000010
【図９】
2010000356.tif 000011
【図１０】
2010000356.tif 000012
【図１１】
2010000356.tif 000013
【図１２】
2010000356.tif 000014
【図１３】
2010000356.tif 000015
【図１４】
2010000356.tif 000016
【図１５】
2010000356.tif 000017
【図１６】
2010000356.tif 000018
【図１７】
2010000356.tif 000019
【図１８】
2010000356.tif 000020
【図１９】
2010000356.tif 000021
【図２０】
2010000356.tif 000022